(57)【要約】【課題】  照明方向の制御を、給電ケーブルに阻害されることなく円滑に行うことができて、高い操作性が得られる投光装置を提供すること。【解決手段】  前方に開口する光出射口を有するケーシング内に、光源ランプおよび反射鏡を備えた光源装置と、レンズ機構および光制御機構により構成される光学系とが配置されてなる照明装置本体を備え、当該照明装置本体が、支持台によって、光出射口が特定の範囲内においてあらゆる方向を向くよう、水平方向に伸びる揺動軸の周りに揺動可能に、かつ、鉛直方向に伸びる軸の周りに回転可能に、支持されてなる投光装置において、外部電源からの電力供給用の給電ケーブルが接続される接続用コネクタ部が、ケーシングの底部において、投光装置本体が揺動される過程において、前記揺動軸と平行に水平方向に伸びる軸の周りに揺動可能に設けられている。【選択図】  図５−Ａ
2010135096.tif 000002
【特許請求の範囲】
【請求項１】
前方に開口する光出射口を有するケーシング内に、光源ランプおよび反射鏡を備えた光源装置と、レンズ機構および光制御機構により構成される光学系とが配置されてなる照明装置本体を備え、当該照明装置本体が、支持台によって、光出射口が特定の範囲内においてあらゆる方向を向くよう、水平方向に伸びる揺動軸の周りに揺動可能に、かつ、鉛直方向に伸びる軸の周りに回転可能に、支持されてなる投光装置において、
外部電源からの電力供給用の給電ケーブルが接続される接続用コネクタ部が、ケーシングの底部において、投光装置本体が揺動される過程において、前記揺動軸と平行に水平方向に伸びる軸の周りに揺動可能に設けられていることを特徴とする投光装置。
【請求項２】
前記支持台は、投光装置本体の重心位置を通るよう鉛直方向に伸びる中心軸の周りに回転可能とされた支柱を備えており、
前記接続用コネクタ部の揺動中心軸が、ケーシングの前後方向おける、前記支柱の回転中心軸の近傍位置に位置されていることを特徴とする請求項１に記載の投光装置。
【請求項３】
前記光源ランプは、ランプ電力が１ｋＷ以上であるものであることを特徴とする請求項１または請求項２に記載の投光装置。
【発明の詳細な説明】
【技術分野】
【０００１】
本発明は、例えば、劇場、スタジオ、ホール、その他における所期の演出効果を実現するために用いられるスポットライトなどの投光装置に関する。
【背景技術】
【０００２】
一般に、例えば、劇場の舞台照明においては、舞台に所期の演出効果を実現するため、例えばスポットライトなどの投光装置（照明装置）により舞台上の特定の位置を局所的に照明することが行われている。そして、舞台上の照明されるべき対象が、人間、その他の移動するものである場合、またはそのような移動体の位置を基準とする特定の位置を照明する場合には、例えば、投光装置の操作者が移動体の移動を目視で確認しながら、当該移動体の移動に従って投光装置の照明方向を変更する制御を行っている。
【０００３】
このような投光装置は、これまでに、種々の構成のものが提案されており（例えば特許文献１参照）、ある種のものにおいては、図６および図７に示すように、投光装置本体７０が、支持台９０によって、鉛直方向（図６において上下方向）に伸びる回転中心軸Ｃ４を中心に回転可能に支持されると共に、水平方向（図６において紙面に対して垂直な方向）に伸びる揺動中心軸Ｃ５を中心に揺動可能に支持されている。
【０００４】
投光装置本体７０は、前方に開口する光出射口７０Ａを有する、前後方向に長い角筒型形状のケーシング７１を備えており、このケーシング７１内における光照射方向後方側領域に、例えばキセノンランプよりなる光源ランプ（放電ランプ）７４およびこの光源ランプ７４から放射された光を集光する例えば楕円反射面を有する反射鏡７６により構成された光源装置７３が配置されると共に、ケーシング７１内の光照射方向前方側領域に、前方レンズ８０および後方レンズ８２の２つのレンズを備えたレンズ機構と、所期の演出効果を得るための光制御機構８５とにより構成された光学系が配置されている。また、光源ランプ７４の点灯時において、光源ランプ７４および反射鏡７６を冷却風によって冷却する冷却機構７８が設けられている。
そして、光源ランプ７４、反射鏡７６、レンズ機構および光制御機構８５のすべての構成部材が互いに光軸Ｌが一致した状態とされている。
【０００５】
ケーシング７１の底部には、ケーシング７１に一体に固定された固定板９５の外面側に外部電源から光源ランプ７４に給電するための、例えばキャブタイヤケーブルよりなる給電ケーブル９６が接続される接続部が形成された接続用コネクタ部９５Ａが設けられている。
さらに、図示はしていないが、この固定板９５の内面側において、光源ランプ７４に繋がる給電線が電気的に接続されている。
【０００６】
【特許文献１】特開２００２−２５３０５号公報
【発明の開示】
【発明が解決しようとする課題】
【０００７】
上述したように、投光装置本体７０が回転中心軸Ｃ４を中心に水平面内において回転（パン）されることにより、水平方向に伸びる揺動中心軸Ｃ５の周りに揺動されることにより、特定の位置を局所的に照明されるよう照明方向の制御が行われるところ、上記構成の投光装置においては、給電ケーブル９６が接続される接続用コネクタ部９５Ａにおける固定板９５がケーシング７１に固定されているため、照明方向の制御を行う場合に、給電ケーブル９６の自重、または、給電ケーブル９６の低柔軟性（低変形性）によって、投光装置本体７０の回転動作および揺動動作が阻害されるという問題がある。特に、投光装置本体７０を揺動中心軸Ｃ５の周りに揺動させる場合に、給電ケーブル９６による影響を大きく受けることとなる。
【０００８】
本発明は、以上のような事情に基づいてなされたものであって、照明方向の制御を、給電ケーブルに阻害されることなく円滑に行うことができて、高い操作性が得られる投光装置を提供することを目的とする。
【課題を解決するための手段】
【０００９】
本発明の投光装置は、前方に開口する光出射口を有するケーシング内に、光源ランプおよび反射鏡を備えた光源装置と、レンズ機構および光制御機構により構成される光学系とが配置されてなる照明装置本体を備え、当該照明装置本体が、支持台によって、光出射口が特定の範囲内においてあらゆる方向を向くよう、水平方向に伸びる揺動軸の周りに揺動可能に、かつ、鉛直方向に伸びる軸の周りに回転可能に、支持されてなる投光装置において、
外部電源からの電力供給用の給電ケーブルが接続される接続用コネクタ部が、ケーシングの底部において、投光装置本体が揺動される過程において、前記揺動軸と平行に水平方向に伸びる軸の周りに揺動可能に設けられていることを特徴とする。
【００１０】
本発明の投光装置においては、支持台は、投光装置本体の重心位置を通るよう鉛直方向に伸びる中心軸の周りに回転可能とされた支柱を備えており、
前記接続用コネクタ部の揺動中心軸が、ケーシングの前後方向おける、前記支柱の回転中心軸の近傍位置に位置された構成とされていることが好ましい。
【００１１】
さらにまた、本発明の投光装置においては、光源ランプとして、ランプ電力が１ｋＷ以上であるものが用いられた構成とすることができる。
【発明の効果】
【００１２】
本発明の投光装置によれば、照明方向の制御に際して、投光装置本体が揺動される過程において、接続用コネクタ部が給電ケーブルの自重により揺動されるので、給電ケーブルの投光装置本体に対するバランス状態を維持することができ、照明方向の制御を給電ケーブルに阻害されることなく円滑に行うことができる。
【００１３】
接続用コネクタ部の揺動中心軸が、ケーシングの前後方向における、投光装置本体をその重心位置において支持する支持台における支柱の回転中心軸の近傍位置に、位置された構成とされていることにより、照明方向の制御に際しての、例えば給電ケーブルの自重による操作性に対する影響を抑制することができて円滑な動作を一層確実に行うことができる。
【発明を実施するための最良の形態】
【００１４】
図１は、本発明の投光装置の一例における構成の概略を示す側面図、図２は、図１に示す投光装置における投光装置本体の底面図、図３は、図１に示す投光装置の背面図、図４は、図１に示す投光装置における投光装置本体の内部構造の概略を示す側面図である。
この投光装置は、投光装置本体１０が、当該投光装置本体１０の光出射口１０Ａが特定の範囲内においてあらゆる方位を向くことができるよう、支持台６５によって、鉛直方向（図１において上下方向）に伸びる回転中心軸Ｃ１を中心に水平面内において回転可能に支持されると共に、水平方向（図１において紙面に対して垂直な方向）に伸びる揺動中心軸Ｃ２の周りに揺動可能に支持されて、構成されている。
【００１５】
支持台６５は、投光装置本体１０の重心位置を通るよう鉛直方向に伸びる回転中心軸Ｃ１を中心に回転可能とされた支柱６６と、この支柱６６の上端部に固定された、各々上端部が上方に向かって伸びる板状の支持アーム６７とを備えており、投光装置本体１０の両側部の各々における外方位置において水平に伸びる揺動軸１３が支持アーム６７によって回転自在に軸支されている。
図１および図３において、６８Ａは、投光装置本体１０の水平面内での回転を禁止するロック用レバー、６８Ｂは、投光装置本体１０の水平軸周りの揺動を禁止するロック用レバー、６８Ｃは、投光装置本体１０の高さ位置を固定するロック用レバーであって、それぞれ、ロック状態が解除されることにより、投光装置本体１０の水平面内での回転（パン）、水平軸周りの揺動（ティルト）および高さ調整が可能な状態とされる。
【００１６】
投光装置本体１０は、前方に開口する光出射口１０Ａを有する前後方向に長い略円筒型形状のケーシング１１を備えており、このケーシング１１内における、光照射方向後方側領域が光源装置配置領域１１Ａとされていると共に光照射方向前方側領域が光学系配置領域１１Ｂとされている。
【００１７】
ケーシング１１内には、光照射方向に沿って互いに並行に伸びる２本のロッド状のレール部材３８よりなる位置決め用支持部材が、光学系配置領域１１Ｂだけでなく、当該光学系配置領域１１Ｂの後端を越えて光学装置配置領域１１Ａに延出し、ケーシング１１の長手方向の全域にわたって、伸びるよう配設されており、ランプ保持機構（空冷ダクト３３）および反射鏡保持部材４５、並びに、前方レンズ保持部材５１、後方レンズ保持部材５３および光制御機構の構成部材のすべてが、共通の位置決め用支持部材であるレール部材３８に取り付けられて、互いに光軸Ｌが一致する状態で直線的に配置されている。
【００１８】
光源装置２０は、前方に光放射口２１Ａを有する反射鏡２１と、例えば両端封止型のキセノンランプ（放電ランプ）よりなる光源ランプ２５と、光源ランプ２５の点灯時において、光源ランプ２５および反射鏡２１を冷却風により冷却する冷却機構３０とを備えている。ここに、光源ランプ２５は、例えば、ランプ電力が１ｋＷ以上であるものであり、後述する光源ランプ用給電ケーブル１０１を介して３５〜４５Ａ程度の電流が供給されて点灯される構成のものが用いられている。
【００１９】
冷却機構３０は、ケーシング１１内の光源装置配置領域１１Ａにおける下部位置において、送風口が上方を向くよう設けられた送風ファン３１と、ケーシング１１内の光源装置配置領域１１Ａにおける上部位置に設けられた排気ファン（図示せず）と、送風ファン３１の送風口に接続された例えば鋳物よりなる空冷ダクト３３とにより構成されている。
空冷ダクト３３は、下端が送風ファン３１の送風口に接続された上下方向に伸びる角筒状の垂立部３３Ａと、内部空間が垂立部３３Ａに連通して冷却風を光源ランプ２５のバルブの外面に沿って流れるよう供給する、水平方向に伸びる略円筒状の水平部３３Ｂとを有する。
【００２０】
空冷ダクト３３の垂立部３３Ａの下端部における両側部には、２本のレール部材３８の各々が挿通される軸受け部３４が形成されていると共に、水平部３３Ｂの後端に、光源ランプ２５をその光軸が水平方向に伸びる姿勢で保持固定するランプ固定用チャック４０が取り付けられており、これにより、光源ランプ２５を保持固定するランプ保持機構が構成されている。
【００２１】
光源ランプ２５は、一方の封止部が空冷ダクト３３の水平部３３Ｂの内部に挿入された状態で、当該一方の封止部に設けられた口金がランプ固定用チャック４０によって保持固定されており、従って、レール部材３８に対して位置決めされている。
ランプ固定用チャック４０は、光源ランプ２５の発光部の位置を、上下方向、左右方向、および、前後方向に微調整する機能を有する。
【００２２】
反射鏡２１は、例えば、回転楕円面の一部により構成された反射面を有する楕円反射鏡であって、その光軸が光源ランプ２５のアーク方向に一致すると共に焦点位置が光源ランプ２５のアーク発生部に一致する状態で、２本のレール部材３８の各々が軸受け部４６Ａに挿通された状態で当該レール部材３８に取り付けられた反射鏡保持部材４５によって保持固定されている。
【００２３】
また、光源装置配置領域１１Ａには、光源ランプ２５から直接的に、あるいは、反射鏡２１によって反射されて放射される赤外線を反射する熱線反射フィルタ１５が設けられている。
【００２４】
光学系配置領域１１Ｂにおいて構成された光学系は、照明領域において形成されるスポット径を調整する前方レンズ５０および当該前方レンズ５０を保持する前方レンズ保持部材５１と、照明領域において形成されるスポットのピントを調整する後方レンズ５２および当該後方レンズ５２を保持する後方レンズ保持部材５３とにより構成されたレンズ機構と、光源装置２０と後方レンズ５２との間の位置に設けられた、所期の演出効果を得るための光制御機構とにより構成されている。
【００２５】
前方レンズ保持部材５１および後方レンズ保持部材５３は、いずれも、２本のレール部材３８の各々が挿通された状態で、光軸方向（図４における前後方向）に位置調整可能（光軸方向に摺動可能）に取り付けられており、レンズ機構調整レバー５５を前後方向に移動させることにより、図示しないレンズ位置調整機構を介して、前方レンズ５０および後方レンズ５２の両者がレール部材３８に沿ってスライドされて光軸方向の両者の位置が調整されると共に、後方レンズ位置調整ハンドル５６を回すことにより、図示しないレンズ位置調整機構を介して、後方レンズ５２のみがレール部材３８に沿ってスライドされて光軸方向における位置調整がされる。
【００２６】
この実施例における投光装置の光制御機構は、操作桿６０Ａを水平方向に伸びる軸周りに回動させることにより機械的な調光を行う第１のカッター装置（ダウサカッター）６０と、この第１のカッター装置６０の光照射方向前方側に位置された、操作桿６１Ａを水平方向に伸びる軸周りに回動させることにより機械的な遮光を行う第２のカッター装置６１と、この第２のカッター装置６１の光照射方向前方側に位置された、操作桿６２Ａを水平方向に伸びる軸周りに回動させることにより照明領域に形成されるスポット径の調整を行うシャッター装置６２とにより構成されており、第１のカッター装置６０、第２のカッター装置６１およびシャッター装置６２は、いずれも、２本のレール部材３８が挿通された状態で、取り付けられている。
【００２７】
而して、上記投光装置においては、外部電源からの動作用電力の供給を受けるための給電用ケーブルが接続される接続用コネクタ部（給電部）１７が、ケーシング１１の底部において、投光装置本体１０が揺動（ティルト）される過程において、揺動中心軸Ｃ２と平行に水平方向に伸びる揺動中心軸Ｃ３の周りに揺動可能に設けられている。
【００２８】
接続用コネクタ部１７は、一方が開口する略箱型形状の基体１７Ａの外面側に、光源ランプ２５に対する電力供給用の給電ケーブル（以下、「光源ランプ用給電ケーブル」という。）１０１が接続される光源ランプ用給電ケーブル接続部１８Ａと、送風ファン３１、排気ファンおよびその他の構成部材の動作制御用電力供給用の給電ケーブル（以下、「動作制御用給電ケーブル」という。）１０２が接続される動作制御用給電ケーブル接続部１８Ｂが揺動中心軸Ｃ３に沿って並んだ位置に形成されて構成されており、基体１７Ａの互いに対向する両側部外面から外方に向かって水平に伸びる揺動軸１７Ｂがケーシング１１によって揺動可能に軸支されている。
また、図示されてはいないが、基体１７Ａの内面側において接続された給電線によって、光源ランプ２５が光源ランプ用給電ケーブル接続部１８Ａに電気的に接続されると共に、送風ファン３１およびその他の構成部材が動作制御用給電ケーブル接続部１８Ｂに電気的に接続されている。
【００２９】
接続用コネクタ部１７の揺動中心軸Ｃ３は、ケーシング１１の前後方向おける、支持台６５における支柱６６の回転中心軸Ｃ１の近傍位置、具体的には例えば１０ｃｍ以内の範囲内に位置されている。このような構成とされていることにより、照明方向の制御に際しての、例えば給電ケーブル１０１，１０２の自重による操作性に対する影響を抑制することができて円滑な動作を行うことができる。
【００３０】
光源ランプ用給電ケーブル１０１および動作制御用給電ケーブル１０２は、いずれも、例えばキャブタイヤケーブルよりなり、一例を示すと、例えば光源ランプ用給電ケーブル１０１は、外径寸法がφ１６ｍｍ、１ｍ当たりの重量が３７８ｇであるものであり、動作制御用給電ケーブル１０２は、外径寸法がφ１５ｍｍ、１ｍ当たりの重量が２８０ｇであるものである。
【００３１】
上述したように、この投光装置においては、投光装置本体１０が、回転中心軸Ｃ１を中心として水平面内において回転（パン）されることにより、または、揺動中心軸Ｃ２の周りに揺動（ティルト）されることにより、あるいは、これらの動作（パンおよびティルト）が組み合わせられて、照明方向の制御が行われる。
【００３２】
而して、上記構成の投光装置によれば、照明方向の制御に際して、例えば投光装置本体１０が下方向に揺動される場合には、図５−Ａに示されるように、投光装置本体１０が揺動される過程において、接続用コネクタ部１７が光源ランプ用給電ケーブル１０１および動作制御用給電ケーブル１０２の自重により、投光装置本体１０の揺動方向（図５−Ａにおいて時計方向）とは逆方向（反時計方向）に揺動される結果、光源ランプ用給電ケーブル１０１および動作制御用給電ケーブル１０２が、破線で示す基準状態（投光装置本体１０が水平な姿勢に固定された状態）と同様の状態、接続用コネクタ部１７の基体１７Ａの外面に対して鉛直な方向（下方向）に伸びる、いわば投光装置本体１０に対してバランスがとられた状態が維持され、従って、照明方向の制御を、光源ランプ用給電ケーブル１０１および動作制御用給電ケーブル１０２の自重あるいは低柔軟性の影響を大きく受けることなく、円滑に行うことができる。
また、投光装置本体１０が上方向に揺動される場合においても同様に、図５−Ｂに示されるように、投光装置本体１０が揺動される過程において、接続用コネクタ部１７が光源ランプ用給電ケーブル１０１および動作制御用給電ケーブル１０２の自重により、投光装置本体１０の揺動方向（図５−Ｂにおいて反時計方向）とは逆方向（時計方向）に揺動される結果、光源ランプ用給電ケーブル１０１および動作制御用給電ケーブル１０２が、破線で示す基準状態（投光装置本体１０が水平な姿勢に固定された状態）と同様の状態、接続用コネクタ部１７の基体１７Ａの外面に対して鉛直な方向（下方向）に伸びる状態（投光装置本体１０に対するバランス状態）が維持され、従って、照明方向の制御を、光源ランプ用給電ケーブル１０１および動作制御用給電ケーブル１０２の自重あるいは低柔軟性の影響を大きく受けることなく、円滑に行うことができる。
なお、投光装置本体の水平面内での回転動作による照明方向の制御においては、光源ランプ用給電ケーブル１０１および動作制御用給電ケーブル１０２による影響が投光装置本体を揺動させる場合に比して小さいため、実質的に、照明方向の制御を円滑に行うことができる。
【００３３】
以上のように、本発明の投光装置によれば、照明方向の制御を給電ケーブルの影響を大きく受けることなく円滑に行うことができるので、例えば、光源ランプ２５として、大電流が投入される例えばランプ電力が１ｋＷ以上であるものが用いられた構成、換言すれば、大電流を投入可能に構成された給電用ケーブルを介して外部電源からの電力供給がなされる構成とされた場合に、極めて有用である。
【００３４】
以上、本発明の実施形態について説明したが、本発明は上記の実施形態に限定されるものではなく、種々の変更を加えることができる。
【図面の簡単な説明】
【００３５】
【図１】本発明の投光装置の一例における構成の概略を示す側面図である。
【図２】図１に示す投光装置における投光装置本体の底面図である。
【図３】図１に示す投光装置の背面図である。
【図４】図１に示す投光装置における投光装置本体の内部構造の概略を示す側面図である。
【図５−Ａ】照明方向の制御の一例における動作状態を示す説明図である。
【図５−Ｂ】照明方向の制御の他の例における動作状態を示す説明図である。
【図６】従来における投光装置の一例における構成の概略を示す側面図である。
【図７】図６に示す投光装置における投光装置本体の内部構造の概略を示す側面図である。
【符号の説明】
【００３６】
１０  投光装置本体
１０Ａ  光出射口
１１  ケーシング
１１Ａ  光源装置配置領域
１１Ｂ  光学系配置領域
１３  揺動軸
１５  熱線反射フィルタ
１７  接続用コネクタ部（給電部）
１７Ａ  基体
１７Ｂ  揺動軸
１８Ａ  光源ランプ用給電ケーブル接続部
１８Ｂ  動作制御用給電ケーブル接続部
２０  光源装置
２１  反射鏡
２１Ａ  光放射口
２５  光源ランプ
３０  冷却機構
３１  送風ファン
３３  空冷ダクト
３３Ａ  垂立部
３３Ｂ  水平部
３４  軸受け部
３８  レール部材
４０  ランプ固定用チャック
４５  反射鏡保持部材
４６Ａ  軸受け部
５０  前方レンズ
５１  前方レンズ保持部材
５２  後方レンズ
５３  後方レンズ保持部材
５５  レンズ機構調整レバー
５６  後方レンズ位置調整ハンドル
６０  第１のカッター装置（ダウサカッター）
６１  第２のカッター装置
６２  シャッター装置
６０Ａ，６１Ａ，６２Ａ  操作桿
６５  支持台
６６  支柱
６７  支持アーム
６８Ａ  （パン禁止用）ロック用レバー
６８Ｂ  （ティルト禁止用）ロック用レバー
６８Ｃ  （高さ方向の移動禁止用）ロック用レバー
７０  投光装置本体
７１  ケーシング
７１Ａ  光出射口
７３  光源装置
７４  光源ランプ
７６  反射鏡
７８  冷却機構
８０  前方レンズ
８２  後方レンズ
８５  光制御機構
９０  支持台
９５  固定板
９５Ａ  接続用コネクタ部
９６  給電ケーブル
１０１光源ランプ用給電ケーブル
１０２動作制御用給電ケーブル
Ｌ  光軸
Ｃ１  回転中心軸
Ｃ２  揺動中心軸
Ｃ３  揺動中心軸
Ｃ４  回転中心軸
Ｃ５  揺動中心軸
【図１】
2010135096.tif 000003
【図２】
2010135096.tif 000004
【図３】
2010135096.tif 000005
【図４】
2010135096.tif 000006
【図５−Ａ】
2010135096.tif 000007
【図５−Ｂ】
2010135096.tif 000008
【図６】
2010135096.tif 000009
【図７】
2010135096.tif 000010